(57)【特許請求の範囲】
【請求項１】
１本の排気管と、１個の吸込み口と１個の排出口を持ち前記排気管に接続したタービンハウジングを有する燃焼エンジンで、前記タービンハウジング内の前記吸込み口と排出口の間に位置するチャンバと、前記ハウジング内でベアリングにより支持され貫通穴を通して前記チャンバ中に延伸している回転軸に回転可能に取り付けたタービン羽根車と、燃焼エンジンが予定の運転状態にある間中、燃焼エンジンにより発生した排気ガス中に尿素を噴射する噴射装置を含む燃焼エンジンにおいて、前記噴射装置は、前記タービン羽根車の最大直径部より下流において前記チャンバに尿素を吐出することを特徴とする燃焼エンジン。
【請求項２】
１本の排気管と、１個の吸込み口と１個の排出口を持ち前記排気管に接続したタービンハウジングを有する燃焼エンジンで、前記タービンハウジング内の前記吸込み口と排出口の間に位置するチャンバと、前記ハウジング内でベアリングにより支持され貫通穴を通して前記チャンバ中に延伸している回転軸に回転可能に取り付けたタービン羽根車と、燃焼エンジンが予定の運転状態にある間中、燃焼エンジンにより発生した排気ガス中に尿素を噴射する噴射装置を含む燃焼エンジンにおいて、前記噴射装置は、前記回転軸用貫通穴における静圧より低い静圧の領域内で前記チャンバに尿素を吐出することを特徴とする燃焼エンジン。
【請求項３】
１本の排気管と、１個の吸込み口と１個の排出口を持ち前記排気管に接続したタービンハウジングを有する燃焼エンジンで、前記タービンハウジング内の前記吸込み口と排出口の間に位置するチャンバと、前記ハウジング内でベアリングにより支持され貫通穴を通して前記チャンバ中に延伸している回転軸に回転可能に取り付けたタービン羽根車と、燃焼エンジンが予定の運転状態にある間中、燃焼エンジンにより発生した排気ガス中に尿素を噴射する噴射装置を含む燃焼エンジンにおいて、前記噴射装置は、平均流れ軌線が前記貫通穴を通過しない位置から前記ハウジングに尿素を吐出することを特徴とする燃焼エンジン。
【請求項４】
１本の排気管と、１個の吸込み口と１個の排出口を持ち前記排気管に接続したタービンハウジングを有する燃焼エンジンで、前記タービンハウジング内の前記吸込み口と排出口の間に位置するチャンバと、前記ハウジング内でベアリングにより支持され貫通穴を通して前記チャンバ中に延伸している回転軸に回転可能に取り付けたタービン羽根車と、燃焼エンジンが予定の運転状態にある間中、燃焼エンジンにより発生した排気ガス中に尿素を噴射する噴射装置を含む燃焼エンジンにおいて、前記噴射装置は、前記貫通穴における静圧を超える静圧の位置で前記タービンハウジングに尿素を吐出し、前記噴射装置は、前記貫通穴における尿素被曝の危険性が低減している下流方向を向いていることを特徴とする燃焼エンジン。
【請求項５】
１本の排気管と、１個の吸込み口と１個の排出口を持ち前記排気管に接続したタービンハウジングを有する燃焼エンジンで、前記タービンハウジング内の前記吸込み口と排出口の間に位置するチャンバと、前記ハウジング内でベアリングにより支持され貫通穴を通して前記チャンバ中に延伸している回転軸に回転可能に取り付けたタービン羽根車と、燃焼エンジンが予定の運転状態にある間中、燃焼エンジンにより発生した排気ガス中に尿素を噴射する噴射装置を含む燃焼エンジンにおいて、前記噴射装置は、前記貫通穴における静圧より低い静圧の位置で前記タービンハウジングに尿素を吐出し、前記噴射装置を上流に向け、尿素を加圧する手段が、尿素が前記貫通穴を通過できない制限値より低い運動エネルギーを噴出尿素に与えることを特徴とする燃焼エンジン。
【請求項６】
前記燃焼エンジンが、ピストンエンジンで構成されることを特徴とする請求項１乃至５のいずれか１項に記載の燃焼エンジン。
【請求項７】
前記ピストンエンジンが、直接噴射ディーゼルエンジンで構成されることを特徴とする請求項６に記載の燃焼エンジン。
【請求項８】
請求項１乃至７のいずれか１項に記載の燃焼エンジンを有する自動車。
【発明の詳細な説明】
【０００１】
発明の属する技術分野
この発明は、請求項１の前文に記載した燃焼エンジンに関する。より詳細には、周囲環境中に排出される窒素酸化物の排出レベルを排気管中に尿素を噴出することにより低減させる燃焼エンジンに関する。また、この発明は、このようなエンジンより成る自動車に関する。
【０００２】
発明の背景
希薄混合気（lean‐burn）エンジンと呼ばれる希薄混合気運転用に設計されたディーゼルエンジン及びガソリンエンジンは、通常運転中に粒子と窒素酸化物（ＮＯｘ）を発生するが、燃料を節約できる利点を有している。排ガス中の窒素酸化物の量を減少させるためには、数多くの以前から知られている方法が利用できる。例えば、排気ガスを循環させることにより、燃焼プロセスを冷却することが出来るし、燃焼室に水状の冷却媒体を導入することも実施可能である。これらのプロセスは、燃焼プロセスにおける窒素酸化物の形成を減少させるために使用できる。もう１つの可能性は、排ガス中に既に形成された窒素酸化物の量を減少させることである。排ガス中の窒素酸化物含有量を減少させる１つの方法は、尿素の作用により窒素酸化物の還元が生じる選択的な還元触媒コンバータを用い、窒素酸化物を減少させることである。この目的のためには、したがって、尿素を燃焼エンジンの排気管中に噴射して反応室で反応を生じさせる。
【０００３】
燃焼エンジンでの窒素酸化物を還元させる装置の１例が、ＷＯ９８／４３７３２に開示されており、ここで参照することにより、この開示を本明細書に組み入れる。排気管内に存在する窒素酸化物量に対し、噴射尿素量の効率を高めるためには、噴射尿素量を排ガスと完全に混合することが必要である。このことは、システム中の流速が相対的に高く、排気管内部での被曝時間が非常に短いので特に重要である。前記文書に開示されている装置の場合、排気ガスと尿素が完全に混合するようにタービンの上流から排気管中に噴射される。
【０００４】
前記タービンの上流に噴射位置を設けることにより噴射尿素は、タービンハウジングの全体を通過し、従って、タービン羽根車を収納しているハウジング内で、ベアリングにより支持されたタービン羽根車の回転軸付近を通過する。この回転軸は、ハウジングの貫通穴に挿設されたベアリングに支持されている。尿素がこの貫通穴を通過する際に、ハウジングの内圧は周囲圧より高いために、ハウジング内の回転軸のベアリングアッセンブリ内に入り込む恐れがある。尿素は非常に反応性がありまた腐食性があるのでベアリングアッセンブリ並びにそこに使用している密封部材と潤滑剤を劣化させる危険がある。
【０００５】
発明の要約
本発明の目的は、尿素を燃焼エンジンの排気管中に噴射し、タービン段を通る少なくとも部分的な流路により尿素と排ガスを完全に混合させ、タービン段に含まれているタービン羽根車の回転軸用のベアリングアッセンブリ、密封部材及び潤滑剤が劣化する危険を低減する燃焼エンジンを供給することにある。この目的は、請求項１の特徴部分に記載の燃焼エンジンによって達成される。前記タービン段に含まれているタービン羽根車を格納するハウジングに尿素を噴出する噴出装置（インジェクタ）を配設することにより、前記回転軸用のベアリングアッセンブリ、密閉部材及び潤滑剤が劣化する危険性を低減させるような位置で噴射させる。
【０００６】
１つの好適な実施形態において、この噴射装置は、タービン羽根車を格納するチャンバ内に、好ましくはそのタービン羽根車の最大直径部の下流に配置されている。前記回転軸用貫通穴の静圧よりも低い静圧の領域内に、噴射装置の噴出口を配置することにより、前記貫通穴が尿素に曝される危険をさらに低減させる。さらに、本発明の別の好適な実施形態においては、噴射装置のタービンハウジング内の噴射位置を、平均流れ軌線がタービン軸用貫通穴を通らない位置にしている。これは、噴射装置の噴射口をタービン羽根車の最大直径部より上流に配置でき、噴射装置の噴射静圧がタービン軸用貫通穴の静圧を超え、噴射された尿素の粒子軌道が前記貫通穴を通らない確率を高くして、貫通穴の尿素被曝を低減させ、ベアリングアッセンブリ、密封部材及び潤滑剤の劣化の危険性を低減させることを意味する。
【０００７】
好適な実施形態の詳細説明
図１は、燃焼エンジン１を示す概略図である。この燃焼エンジン１は、好ましくはディーゼルエンジン、又はガソリンエンジンで、希薄混合気運転用の、所謂、希薄混合気燃焼エンジンである。１本の吸込み多岐管２が燃焼エンジンへ空気を供給するために接続されている。さらに、１本の排気管３が燃焼エンジン１の排気口に接続されている。燃焼エンジン１は、通常形式のものであるので、このエンジンの運転に必要な残りの構成品については詳細な説明を省略する。
【０００８】
タービンハウジング４は、排気管３に接続されている。タービンハウジング４と排気管３の間の接続は、タービンハウジング４と排気管３を接続するフランジ継ぎ手５として設計することができる。したがって、タービンハウジングは、排気管に接続した吸込み口６と排出口７を有する。タービン羽根車９を配設したチャンバ８は、吸込み口６と排出口の間に位置する。タービン羽根車９は、タービンハウジング４内の貫通穴１１を通り延伸する回転軸１０で支持されている。
【０００９】
図２は、貫通穴１１内の回転軸１０用ベアリングアッセンブリの実施例の詳細を示している。チャンバ８への貫通穴１１のオリフィスに最も近いところに、チャンバ８から外部への漏れを防止する密封部材１２が配備されている。排気管内の漏れは、回転軸１０用ベアリングアッセンブリ内の潤滑剤の品質劣化の他に、出力低下を生じ、排気管内の圧力損のために排気ガスへのエネルギーの回収を不可能にする。チャンバ８への貫通穴１１のオリフィスに向かう方向において、密封部材１２がハウジング４内に設けられた突起部１３に支持されている。オリフィスから離れる方向に面する密閉部材端は、スペーサ部材１４に支持されている。このスペーサ部材は、ベアリングアッセンブリ１５の１部分により構成することができる。実施例の場合、このベアリングアッセンブリは、通常の滑り軸受け１５で構成し、溝１８に嵌設した座金１７により固定している。
【００１０】
さらに、本発明によれば、タービンハウジング４は、燃料エンジンが予定の運転状態にある間、タービンハウジング４中に尿素を噴射する噴射装置２０のオリフィス１９が設けられている。噴射が正しい方法で実施されていることを確認するために、本発明では、前記噴射装置２０を制御装置２１に接続し、１組の入力チャネル２２を介して、負荷、エンジン速度、エンジン温度等のようなエンジンのデータ又は自動車に関する情報を収集する。この制御装置自身は、従来から公知のタイプであるので、詳細な説明は省略する。
【００１１】
噴射装置２０も又、それ自身、従来からよく知られた形式のものであり、図１の例示のように、１基のシリンダ２３の内部に配置した１本のピストン２４より構成される。このピストン２４は、シリンダを、オリフィス１９に終端するタービンハウジング４の貫通穴の流路（ダクト）と共に１本の流路を形成するオリフィス２５に面する第１部分と、タービンハウジング４内へ尿素の噴射が生じるように前記第１部分に含まれている尿素を加圧する加圧手段２８より成る第２部分に分割する。簡便さを確保するために、前記噴射装置２０は、噴射装置のオスねじ（図示せず）をタービンハウジング４内のメスねじを切ったリセスにねじ込むことによりタービンハウジング４に接続している。尿素をシリンダ２３の第１部分に供給するために尿素コンテナ２７を供給ダクト２６でシリンダ２３の第１部分に接続している。シリンダ２３の第１部分の尿素を加圧する手段２８がピストン２４に作用し、ピストンが尿素をタービンハウジング４内に強制噴射させる。本発明の別の実施形態の場合、噴射装置２０は、タービンハウジング４に通じる吸込み口を開閉するオンオフバルブで構成している。従来のポンプを使用し尿素を加圧してタービンハウジング４中に移送することができる。
【００１２】
さらに、本発明によれば、この噴射装置の噴射口をタービンハウジング内に配置する。好適な実施形態において、噴射装置の噴射口は、タービン羽根車を格納しているチャンバ８内に配置している。別の好適な実施形態では、噴射装置の噴射口は、タービン羽根車９の最大直径部の下流に配置している。この配置により、タービンハウジング４内の回転軸１０用貫通穴１１へ尿素が入り込むことがさらに困難になり、貫通穴内に配置されたベアリングアッセンブリ、密封部材及び潤滑剤の劣化が軽減される。
【００１３】
別の好適な実施形態において、噴射装置は、回転軸用貫通穴における静圧より低い静圧の領域内のチャンバ中に吐出する。この配置により、貫通穴が尿素に曝されることがさらに減少する。
【００１４】
本発明の別の実施形態では、噴射装置は、平均流れ軌線が前記貫通穴を通過しない位置から前記ハウジングに吐出する。ここで、“平均流れ軌線”は、或る特定の運動エネルギーと運動方向を持つ粒子が、排気ガス流中に導入された時に示す軌道を云う。流れは、乱流であるから、軌道は、常に異なる。従って、“平均流れ軌線”は、導入された粒子の平均が示す軌道を云う。“回転軸の貫通穴を通過するパス”は、粒子の軌線が、貫通穴を通して回転軸のベアリングアッセンブリに入り込む可能性が高い貫通穴を囲む境界層を通って流れることを意味している。この境界層は相対的に薄く、１〜１０ｍｍの範囲の寸法である。
【００１５】
図３は、タービンハウジングを通る静圧を示す簡素化した図である。変換長手方向座標Ｚの関数である静圧ｐは、タービンハウジングの吸込み口６においてゼロ値を、タービンハウジングの排出口７において値ｚ1を有している。勿論、タービンの半径方向においても圧力変動が存在するが、圧力変動を単純に図示するために半径方向の変動は無視する。回転軸１０用貫通穴１１における静圧は、ｐ（ｚ2）である。噴射装置の噴射口は、タービンハウジングの種々異なる位置に配置でき、例えば、静圧が前記貫通穴における静圧を超える位置ｚm1又は静圧が前記貫通穴における静圧より低い位置ｚm2に配置できる。噴射装置の噴射口を静圧が前記貫通穴における静圧を超える位置ｚm1に配置する場合、噴射装置は好ましくは下流方向に向け、前記貫通穴における尿素被曝の危険性を減少させる。
【００１６】
噴射装置を位置ｚm3のような尿素被曝の危険性が非常に小さいかなり下流に配置する場合は、噴射装置の噴射口を上流に向け、尿素と排気ガスの混合度を改善することができる。これに関連し、噴射尿素の初期速度は、平均流れ軌線が貫通穴１１を通り過ぎることがないように適応させねばならない。
【００１７】
【図面の簡単な説明】
下記の添付図面を参照し、本発明につき以下に詳細説明する。
【図１】  本発明による燃焼エンジンの概略図である。
【図２】  図１の領域Iの拡大図である。
【図３】  タービンハウジング内部の異なる位置における圧力を二次元で簡略表示した図である。
【図１】
0004659330.tif 000002
【図２】
0004659330.tif 000003
【図３】
0004659330.tif 000004